(57)【要約】【課題】パネル設置に伴って配管工事が完了するようにして施工期間の短縮及び工事期間中に占用する道路をできるだけ小さくする。【解決手段】パネル１の配設管３０、３１の端部のソケット４に継手管６を差し込む。ソケット４の内側にはＯリングが内蔵されており、接続部の止水作用と変位を吸収することができる。２番目のパネル１を既設のパネルと同一平面上に置き、矢印で示すように水平に移動させて既設のパネル１に近づけ、継手管６の他端を第２パネルのソケット４に挿入させてパネル１を接続する。  この作業を繰り返すことによって任意の長さに渡ってパネル１を敷設する。【選択図】図５
2005350918.tif 000002
【特許請求の範囲】
【請求項１】
送水管と集水管がパネルを貫通して配設してあり、送水管と集水管の端部には接続用ソケットが設けてあり、かつ、送水管と集水管に放熱管が接続してあるパネル。
【請求項２】
送水管と集水管がパネルを貫通して配設してあり、少なくともパネルの角部の１つが切り欠いてあってその部分に送水管と集水管が露出させてあり、かつ、送水管と集水管に放熱管が接続してあるパネル。
【請求項３】
請求項１または２において、送水管または集水管と放熱管の間には、流量計、バルブ及びエア抜きが配設してあり、ヘッダーピット機能を備えたパネル。
【請求項４】
請求項１または２において、パネルの突き合わせ端面に半円断面形状の凹目地を設けたパネル。
【請求項５】
送水管と集水管がパネルを貫通して配設してあるパネルの接続部の接続管を切断してパネル同士の連結を解除してパネルを撤去し、パネルの角部が切り欠いてあってその部分に送水管と集水管が露出させてあるパネルを撤去跡に設置し、送水管及び集水管同士を継手で連結するパネルの施工方法。
【発明の詳細な説明】
【技術分野】
【０００１】
本発明は、大型建築物の床、屋根等に配設して温度調節に使用したり、また、道路、駐車場等の路面下に配設して融雪やヒートアイランド現象の解消を目的として路面温度の上昇を抑制するためのパネルに関する。
【背景技術】
【０００２】
融雪用の熱を放出する熱媒体を流す放熱管をパネルに埋設し、この放熱管の端部をパネルの角の切欠部から露出させ、パネルを接続して路面等の融雪や凍結防止をおこなうことが知られている。（特許文献１参照）
また、複数枚のパネルと、これらパネルの放熱管に温水を循環させるための加熱循環器とを配管で連結して融雪することがおこなわれており、この融雪装置は、パネルと加熱循環器との接続形態によって、ヘッダー方式、分岐方式及びリバースターン方式がある。
【０００３】
パネルの敷設工事においては、パネルに温水や冷水等の熱媒体を循環させるための配管を設置する必要があり、パネルの側部もしくはパネルの下側に別途配管工事をおこなう必要があり、配管工事とパネルの設置工事の２工程を要していた。
【０００４】
そこで、特許文献２（特開平０６−２６４４０８号公報）に示されるように、融雪パネルの側部に配設管を配置する空間を設置することが提案されたが、パネルを敷設連結した後に空間部に配設管を設置することに変わりがなく、工事の占有面積の削減は達成することができるが、狭い空間部に配設管を設置しなければならず、施工が面倒であって工期の短縮は達成されていない。（図１１参照）
【特許文献１】特開昭６４−３６８０３号公報
【特許文献２】特開平０６−２６４４０８号公報
【特許文献３】特開平０７−００３７１４号公報
【特許文献４】特開平１０−０８２０１３号公報
【発明の開示】
【発明が解決しようとする課題】
【０００５】
以上のように、従来のパネル設置工事では、配管工事とパネル設置工事の２工程となるため、工期が長くなる。道路や歩道にパネルを設置する場合、配管をパネルの側部に設置するとなると、工事期間中の道路の占有幅が大きくなって、円滑な交通を阻害し交通渋滞を招くということがある。
また、配管をパネルの下部に設置するとなると、掘削及び埋め戻し等の土工事規模が大きくなってますます工期が長くなる。さらに、放熱管との接続位置を想定しながらの配管工事となるため高い施工精度が求められ、コストが上昇するということがある。
そこで、本発明は、パネルを設置することによって配管工事も完了するようにして施工期間の短縮及び工事期間中に占用する道路をできるだけ小さくするものである。
また、パネルが荷重によって損傷したり、配管が詰まったりして熱交換機能が低下した場合は、パネルを交換しなければならないが、温冷水等の熱媒体をパネル内に配設した放熱管内に流しているため、特定のパネルだけ熱媒体の流れを止めてパネルを交換することが面倒であったので、簡単に熱媒体の流れをパネル毎に止めることができるようにするものである。
【課題を解決するための手段】
【０００６】
送水管と集水管がパネルを貫通して配設してあり、送水管と集水管の端部には接続用ソケットが設けてあり、かつ、送水管と集水管には放熱管が接続することにより、パネルの設置と配設管（送水管と集水管）の配管を同時に完了できるようにした。
また、放熱管の送水管への接続側にはバルブを設け、設置後にパネルを撤去する際にパネル内の熱媒体が漏出しないようにした。
【０００７】
更に、送水管と集水管がパネルを貫通して配設してあるパネルの接続部の接続管を切断して融雪パネル同士の連結を解除してパネルを撤去し、パネルの角部が切り欠いてあってその部分に送水管と集水管が露出させてあるパネルを撤去跡に設置し、送水管及び集水管同士をカップリング継手で連結することによって、損傷を受けたパネルの交換が簡単にできるようにした。
【発明を実施するための最良の形態】
【０００８】
以下、実施例の図面に基づいて本発明を説明する。
実施例１
図１はパネル１の全体構成の概略を示し、図２は放熱管の配設状態を示し、図３は継手部の拡大図である。
このパネル１は、コンクリート製であり、補強のための鉄筋メッシュ（図示しない）がパネル１の下縁側に配設されている。図４に示すように、パネル１の接合面に半円断面形状の凹目地２１を形成し、この目地にステンレスパイプ２２を配設し、剪断キーとする場合もある。
【０００９】
また、パネル１の断面の厚さ方向中央部であって側縁に近い側に耐衝撃性能を高めたφ５０ｍｍの塩化ビニルパイプ（ＨＩＶＰ）製の送水管３０と集水管３１（以下、両者を指す場合は配設管という）が平行に配設されており、パネル１を貫通している。
塩化ビニルパイプ製の配設管の端部には接続用のソケット４が連結され、ソケット端部の開口はパネルの端面に露出している。ソケット４は、内部にＯリング４１が内蔵されており、その断面形状は、挿入された接続管が容易に抜け出ないようにするため、また、パネル同士の相対位置が変動することがあっても止水性がそこなわれないようにするため、奥方向に向かう舌が突出するものである。
【００１０】
送水管３０には分岐が設けてあってフレキシブルパイプ３５を介してボールバルブ３６が接続され、ボールバルブ３６には放熱管５が接続されている。ボールバルブ３６は、パネル１が破損及び機能しなくなった場合や使用しなくなった場合、一時的に送水管３０の水が流れ込まないようにストップするためのバルブであり、一種の逆止弁である。
【００１１】
放熱管５は、図２に示すようにパネル１表面全体を加熱できるようにジグザグ状にパネル全面に配設され、集水管３１との接続端部に流量計３２がフレキシブルパイプ３５を介して集水管に３１設けた分岐３３に接続されている。集水管３１に流出する温水等の熱媒体量をメータを見ながら調整つまみで調整できるようにしてある。また、エア抜きも配設しており、放熱管内に発生したエア溜りの解消もおこない、ヘッダー機能の役割を果たすものである。
放熱管５は、ステンレス製のφ１３ｍｍのパイプであり、パネル１表面全体をカバーして表面を融雪可能な温度に上昇させることができるように埋設されており、放熱管５をＵターンさせる部分にはモルコジョイント５１を採用している。モルコジョイント５１は、放熱管５を構成するステンレスパイプを差し込んだ後に専用締付工具でプレス（かしめる）して固定する接続管である。ステンレスパイプの曲部処理は、非常に困難であり、Ｕターン部にエルボを使用すると高価となるため、モルコジョイントを用いコストの低減を図っている。
【００１２】
このパネル１を図５に示すように、１枚目を所定の場所に設置して固定する。設置したパネル１の配設管３０、３１の端部のソケット４に継手管６を差し込む。ソケット４の内側にはＯリング４１が内蔵されており、接続部の止水作用と変位を吸収することができ、パネル１同士の相対位置が変動することによって継手管６が多少移動しても止水効果は維持される。
次に、２番目のパネル１を設置済みの第一のパネル１と同一平面上に置き、矢印で示すように水平に移動させて第一パネル１に近づけ、継手管６の他端を第２パネルのソケット４に挿入させてパネル１を接続する。差し込み作業後は、Ｏリングのゴム断面に舌敷設してあるものなので、この舌が管奥側に倒れており、継手管６の抜出し力に対して抵抗できる形状となっている。
【００１３】
この作業を繰り返すことにより、長手方向にパネル１を連続して敷き並べることができ、送水管等の配設管はパネルを接続することによって必然的に連結されてゆくので、従来の方法に比して格段に施工時間を短縮することができ、交通渋滞を招くことなく円滑な交通を確保しつつパネルの設置工事を完了させることができる。
図６は、既設の水路の上に実施例１のパネル１を敷き詰めて水路の蓋兼用の通路を構築した例である。
【００１４】
実施例２
パネルが損傷を受け、熱媒体が流れなくなったりした場合、特定のパネルのみを迅速に交換できることが望ましい。
しかし、パネルを順に敷き並べて設置する場合と異なり、両側に既に設置済みのパネルが存在するため、同一平面にパネルをセットして水平移動させてパネル同士を接続するという方法は採用できない。
【００１５】
そこで、図７に平面図及び図８に放熱管の配置図、図９に継手部の拡大図を示すように、パネル１の角部を２０ｃｍ程度切除し、配設管（３０、３１）を露出させた補修用パネル１０を準備する。
そして、図１０に示すように、交換対象のパネル１の両隣との接続部をカッターで切断してパネルを撤去し、更に、既設側に残留している切断された継手管６を撤去し、新しい継手管６をソケット４に差し込む。
次に、角部を切欠した補修用パネル１０を撤去跡に設置し、配設管３０，３１の位置合わせをおこない、新しい継手管６と補修用パネル１０の配設管３０、３１とをカップリング継手６２で接続する。カップリング継手６２は、ヒンジ点において全体が動き、クランプのような動きを可能とするので、接続時の設置誤差を修正するため補修用パネル１０を多少移動させても吸収することができる。
【産業上の利用可能性】
【００１６】
パネルの敷設工事と配管を同一断面においてセットできるようにし、従来のように配管工事を別途おこなう必要がなく、パネルの設置工事と配管工事が同時平行作業となり、同時に完了させることができる。
また、配管工事作業内容としては接続用の継手管を押込む作業のみとなるため、作業の手間が殆どかからず、工期の短縮が図れると共に施工に必要な道路の占有幅が小さくなり、円滑な交通の確保への貢献が大である。
【図面の簡単な説明】
【００１７】
【図１】本発明のパネルの平面図。
【図２】本発明のパネルの放熱管配置図。
【図３】本発明のパネルの継手部の拡大図。
【図４】本発明の剪断キーを設けたパネルの平面図及び一部断面図。
【図５】パネルの施工工程図。
【図６】水路の蓋として利用した実施例を示す断面図及び平面図。
【図７】補修交換用パネルの平面図。
【図８】補修交換用パネルの放熱管配置図。
【図９】補修交換用パネルの継手部の拡大図。
【図１０】パネル交換方法を示す工程図。
【図１１】従来のパネルの設置状態図。
【符号の説明】
【００１８】
１    パネル
２１  凹目地
３０  送水管
３１  集水管
４    ソケット
５    放熱管
６    継手管
【図１】
2005350918.tif 000003
【図２】
2005350918.tif 000004
【図３】
2005350918.tif 000005
【図４】
2005350918.tif 000006
【図５】
2005350918.tif 000007
【図６】
2005350918.tif 000008
【図７】
2005350918.tif 000009
【図８】
2005350918.tif 000010
【図９】
2005350918.tif 000011
【図１０】
2005350918.tif 000012
【図１１】
2005350918.tif 000013